(57)【特許請求の範囲】
【請求項１】
上下に対向状に配置される一対の横枠板部と、左右に対向状に配置される縦枠板部とによって矩形の枠状に形成されるパチンコ機用の外枠であって、
前記横枠板部は、各コーナ部に配置される接合部材と、該接合部材間に配置される横板部材とから構成され、前記縦枠板部は、前記接合部材と、該接合部材間に配置される縦板部材とから構成され、
前記コーナ部に配置される接合部材は水平部及び垂直部がＬ形状に配置形成され、該水平部及び垂直部は前後方向に長い矩形断面構造の筒形に形成されるとともに、その前面及び後面には長手方向にスリットが形成されており、
前記横板部材及び前記縦板部材は、前記接合部材の筒形の水平部及び垂直部よりも一回り小さい筒形に形成されるとともに、前後両面に長手方向の全長に亘って突条を備えており、
前記横板部材及び前記縦板部材の突条は、前記接合部材のスリットに係合されて嵌合されており、
前記接合部材に対して前記横板部材と前記縦板部材とのうちの少なくとも一方が伸縮自在とされていること
を特徴とするパチンコ機用の外枠。
【請求項２】
請求項１に記載のパチンコ機用の外枠であって、
前記接合部材に対して前記横板部材又は前記縦板部材が摺動可能に嵌合されており、その嵌合部には、前記横板部材又は前記縦板部材を伸張位置及び縮小位置に保持可能な係止手段が設けられており、
前記係止手段は、弾性変形可能な板バネであり、Ｕ字形に折り返されることによってその折り返し片が対向する方向にバネ力を保有する構成とされ、対向する折り返し片の中央部には外側へ張り出す膨出部が形成されており、
前記横板部材又は前記縦板部材の縮小位置では、前記板バネが前記接合部材の筒形の内壁面で加圧されて弾性変形状態となり、前記板バネの膨出部と、前記接合部材の筒型の内壁面との摺動面の摩擦抵抗によって保持し、
前記横板部材又は前記縦板部材の伸張位置では、前記板バネの膨出部が前記接合部材に形成されたロック孔と前記横板部材又は前記縦板部材に形成された係合孔とのそれぞれに係合することで保持すること
を特徴とするパチンコ機用の外枠。
【発明の詳細な説明】
【０００１】
【発明の属する技術分野】
本発明は、パチンコ機用の外枠に係り、詳しくは保管あるいは運搬に関して好適な外枠に関する。
【０００２】
【従来の技術】
従来、本来のサイズよりも縮小した状態で保管あるいは運搬できるように工夫されたパチンコ機の外枠が提案されている。このような外枠は、例えば実公平１−９５９７号公報に記載されている。上記公報に記載の外枠は、縦（高さ）方向の中央部から蝶番を利用して２つ折りに折り畳み可能に構成したものである。
【０００３】
【発明が解決しようとする課題】
上記公報記載の外枠は、折り畳んだ状態では、通常の一般的な外枠に比べて平面方向に関して約１／２に縮小される。このため、生産後における外枠の出荷までの保管スペースあるいは運搬スペースを縮小できるという長所が得られる。
ところが、公報記載の外枠は、中折れの折り畳み方式である関係で、折り畳み状態では平面形状でコ字形になる。このため、積み重ねて保管あるいは運搬するときの積み重ね姿勢の安定性を得難いといった問題がある。
【０００４】
本発明は、上述した従来の問題点に鑑みてなされたものであり、その目的とするところは、コンパクト化が可能であるとともに、安定した姿勢で積み重ねることが可能なパチンコ機用の外枠を提供することにある。
【０００５】
【課題を解決するための手段】
上記課題を達成するため、本発明に係るパチンコ機用の外枠は、特許請求の範囲の各請求項に記載の通りの構成を備えた。請求項１に記載の発明においては、上下に対向状に配置される一対の横枠板部と、左右に対向状に配置される縦枠板部とによって矩形の枠状に形成されるパチンコ機用の外枠であって、前記横枠板部は、各コーナ部に配置される接合部材と、該接合部材間に配置される横板部材とから構成され、前記縦枠板部は、前記接合部材と、該接合部材間に配置される縦板部材とから構成され、前記コーナ部に配置される接合部材は水平部及び垂直部がＬ形状に配置形成され、該水平部及び垂直部は前後方向に長い矩形断面構造の筒形に形成されるとともに、その前面及び後面には長手方向にスリットが形成されており、前記横板部材及び前記縦板部材は、前記接合部材の筒形の水平部及び垂直部よりも一回り小さい筒形に形成されるとともに、前後両面に長手方向の全長に亘って突条を備えており、前記横板部材及び前記縦板部材の突条は、前記接合部材のスリットに係合されて嵌合されており、前記接合部材に対して前記横板部材と前記縦板部材とのうちの少なくとも一方が伸縮自在とされていることを特徴としている。従って、請求項１に記載の発明によれば、上下の横枠板部又は左右の縦枠板部を縮小することによって、外枠のコンパクト化が達成される。その結果、外枠の保管スペースあるいは運搬スペースを縮小できる。また、外枠は矩形の枠形状を保持した状態のまま縮小されるので、外枠を積み重ねる場合において、縦方向と横方向とに向きを交互に変えて積む、いわゆるクロス積みが可能であって、その場合に積載面が４点（４面）接触状態となり、安定した姿勢での積み重ねが可能となる。
また、横枠板部及び縦枠板部は、その構成部材である横板部材又は縦板部材がそれら両部材を相互に接合するためにコーナ部に配置される接合部材に対して伸縮自在とされている。従って、接合部材に対して横板部材又は縦板部材を縮小することによって、外枠を縦長あるいは横長の矩形の枠形状を保持したままで縮小化できるため、安定した姿勢での積み重ねが可能となるとともに、左右バランスあるいは上下バランスのとれた良好な外枠を提供できる。
【０００７】
また、請求項２に記載の発明においては、前記接合部材に対して前記横板部材又は前記縦板部材が摺動可能に嵌合されており、その嵌合部には、前記横板部材又は前記縦板部材を伸張位置及び縮小位置に保持可能な係止手段が設けられており、前記係止手段は、弾性変形可能な板バネであり、Ｕ字形に折り返されることによってその折り返し片が対向する方向にバネ力を保有する構成とされ、対向する折り返し片の中央部には外側へ張り出す膨出部が形成されており、前記横板部材又は前記縦板部材の縮小位置では、前記板バネが前記接合部材の筒形の内壁面で加圧されて弾性変形状態となり、前記板バネの膨出部と、前記接合部材の筒型の内壁面との摺動面の摩擦抵抗によって保持し、前記横板部材又は前記縦板部材の伸張位置では、前記板バネの膨出部が前記接合部材に形成されたロック孔と前記横板部材又は前記縦板部材に形成された係合孔とのそれぞれに係合することで保持することを特徴としている。従って、請求項２に記載の発明によれば、外枠の無用な伸縮を防止できる。
また、係止手段が弾性体によって構成されている。この弾性体は、横板部材又は縦板部材が接合部材に対して縮小状態にあるときは、弾性変形による摩擦抵抗によって相対位置を保持する。このため、摩擦抵抗を越える力を加えることによって引き伸ばし、本来のサイズの外枠とすることができる。一方、伸張位置では、接合部材と横板部材又は縦板部材との相互に係合することによって両部材を保持する。従って、請求項２に記載の発明によれば、縮小状態から伸張状態への変換作業が簡単で済み、また、簡単な構造でありながら伸張状態を確実に固定することができる。
【０００９】
【発明の実施の形態】
次に、本発明の実施の形態を図１〜図９に基づいて説明する。本実施の形態はパチンコ機の外枠を対象にしたものである。図１及び図２は伸張状態の外枠を示す斜視図であり、図３は縮小状態の外枠を示す斜視図である。図示のように、本実施の形態に係るパチンコ機用の外枠１は、上下に対向状に配置される一対の横枠板部２と、左右に対向状に配置される一対の縦枠板部３とから縦長の矩形枠状に構成され、横枠板部２と縦枠板部３とは、それぞれ外枠１のコーナー部（４箇所）に配置されるＬ形部材４を含んで構成される。このＬ形部材４が本発明でいう接合部材に対応する。
【００１０】
上下の横枠板部２は、Ｌ形部材４の水平部４１と、該水平部４１間に配置される横板部材２１とから構成される。また、左右の縦枠板部３は、Ｌ形部材４の垂直部４２と、該垂直部４２間に配置される縦板部材３１とから構成される。すなわち、本実施の形態に係る外枠１は、４個のＬ形部材４を含む横枠板部２と縦枠板部３とによって構成されており、そして、横板部材２１、縦板部材３１及びＬ形部材４は、共に金属製、例えばアルミ合金によって製作されている。以下、Ｌ形部材４に対する横板部材２１及び縦板部材３１の接合構造を説明する。
Ｌ形部材４の水平部４１及び垂直部４２は、前後方向に長い矩形断面構造の筒形に形成されるとともに、その前面及び後面には長手方向（筒孔）方向に所定長さで延びるスリット４１ａ，４２ａ（図５参照）が形成されている。なお、４個のＬ形部材４のうち、左側の上下に配置されるＬ形部材４には、前枠１１（図１０参照）取付用としての蝶番７，８が組み付けられている。
【００１１】
縦板部材３１は、Ｌ形部材４よりも一回り小さい略Ｃ形断面構造の筒形、すなわち、一面に長手方向の全長に亘って延びる開口３１ｂを有した筒形に形成されるとともに、前後両面に長手方向の全長に亘って突条３１ａを備えている。そして、縦板部材３１は、開口３１ｂを内側に向けた状態で上下の端部をそれぞれ上下のＬ形部材４の垂直部４２内に嵌合後、ネジ５によって固定されている。すなわち、縦板部材３１はＬ形部材４に対して固定的に接合されている。なお、縦板部材３１の突条３１ａは垂直部４２のスリット４２ａに係合されるが、スリット４２ａと突条３１ａの端部相互の当接によって縦板部材３１の嵌め込み深さが規制され、このことによって縦枠板部３の高さが一定値に規定される。
【００１２】
一方、横板部材２１は、Ｌ形部材４の水平部４１に対して伸縮自在に接合される。以下、その接合構造を主として図４〜図７に基づいて説明する。横板部材２１は、縦板部材３１と同様に、一面に長手方向に延びる開口２１ｂを有する略Ｃ形断面構造の筒形に形成されるとともに、前後両面に全長に亘って延びる突条２１ａを備えている。そして、横板部材２１は開口２１ｂを内面に向けた状態でその左右両端部がＬ形部材４の水平部４１内に伸縮自在に嵌合される。なお、横板部材２１の突条２１ａは、水平部４１のスリット４１ａに係合する。Ｌ形部材４の水平部４１は、伸縮構造に対応するために、垂直部４２に比べて筒孔方向（軸方向）に長い寸法を保有している。
従って、外枠１は、Ｌ形部材４の筒孔内に横板部材２１を押し込んだときは図３に示す縮小状態となり、横板部材２１を引き出したときは図１及び図２に示す伸張状態となる。
【００１３】
Ｌ形部材４の水平部４１と横板部材２１との嵌合部には、両部材４，２１を縮小位置又は伸張位置に固定するための弾性体としての板バネ６が設けられている。この板バネ６が本発明でいう係止手段に対応する。板バネ６は図４及び図５に示すように、略Ｕ字形に折り返されることによってその折り返し片が対向する方向（図示上下方向）にバネ力を保有する構成とされ、対向する折り返し片の中央部には外側へ所定高さで張り出す膨出部６ａが形成されている。
【００１４】
板バネ６は、横板部材２１の筒孔両端内に配置された状態で一方の膨出部６ａが横板部材２１の開口２１ｂ内に係合され、他方の膨出部６ａが横板部材２１における開口２１ｂとの対向面に形成された矩形の係合孔２１ｃ（図４参照）に係合される。かくして、板バネ６は横板部材２１に対しては長手方向（伸縮方向）に関して固定的に取り付けられ、この取付状態では膨出部６ａが開口２１ｂ及び係合孔２１ｃから外側へ突出される。
【００１５】
従って、横板部材２１がＬ形部材４の水平部４１内に深く嵌合された縮小状態では、板バネ６は、図６に示すように、上下の膨出部６ａが水平部４１の上下の内壁面で加圧され、そのときの膨出部６ａと水平部４１との摺動面の摩擦抵抗によってＬ形部材４に対する横板部材２１の伸張方向への移動を規制している。
また、Ｌ形部材４の水平部４１における上下両面の先端側には、板バネ６の膨出部６ａが係合可能な矩形のロック孔４１ｂ（５参照）が形成されている。従って、横板部材２１をＬ形部材４の水平部４１から引き出せば、図７に示すように、膨出部６ａがロック孔４１ｂに係合し、かくして横板部材２１が引き出し位置に固定的に保持されることになる。
なお、横板部材２１を上記の縮小位置へ差し込む過程で、板バネ６は、その膨出部６ａがＬ形部材４のロック孔４１ｂに一旦係合することになるが、そのときは適宜工具を使用して膨出部６ａを外側から押し込んでＬ形部材４のロック孔４１ｂに対する係合を解除後、縮小位置へ差し込むことができる。
【００１６】
本実施の形態に係る外枠１は、上記のように構成したものである。従って、製作後の外枠１を図３に示す縮小状態としたときは、コンパクト化され、保管あるいは運搬スペースが小さくて済む。その場合、外枠１は積み重ねた状態で保管あるいは運搬される。図９は通常の固定的に製作された木製の外枠１０１の一般的な積み重ね方式であるクロス積み（向きを交互に変えて積む）を示したものである。このクロス積みは、外枠１０１の左側上下の前方に突き出ている前枠取付用の蝶番１０２の干渉回避のために行われるが、積み重ねたときの接触面が４点（左右の縦枠部材同士の４面）接触であることから、安定した積み重ね姿勢を得ることができる。
そして、本実施の形態によれば、外枠１を矩形の枠形状を保持した状態のままで縮小できることから、外枠１を積み重ねる場合において、図８に示すように、上述のクロス積みによる安定した姿勢で、しかも省スペースでの積み重ねが可能となる。
【００１７】
また、外枠１の縮小状態及び伸張状態は、板バネ６とＬ形部材４との摩擦抵抗によって保持する構成のため、その摩擦抵抗に打ち勝つような外力を伸張方向に加えることによって簡単に伸張状態に変換することができる。そして、外枠１の伸張位置では、板バネ６の膨出部６ａがＬ形部材４のロック孔４１ｂに係合することによって保持する構成のため、伸張状態を確実に保持することができる。また、前述したように板バネ６の膨出部６ａを外側から押し込んでＬ形部材４のロック孔４１ｂに対する係合を解除すれば、横枠板部２を再び縮小状態にすることも可能であるし、取り外す（分離する）ことも可能である。
【００１８】
また、伸張状態の外枠１には、その後において、図１０に示すように、前枠１１が組み付けられる。すなわち、外枠１の前面には、上側の横枠板部２及び左右の縦枠板部３の前面に重合するように前枠１１が配置される。この前枠１１は、図示左側上下に設けられた蝶番１２，１３と、それと対をなす上下のＬ形部材４に設けられた蝶番７，８とを介して外枠１に対して開閉可能に取り付けられる。また、下側の横枠板部２の前面には、化粧幕板１４が固着される。
従って、パチンコ機としての使用状態では、外枠１の伸縮構造は正面から隠蔽される。
【００１９】
なお、本実施の形態では、伸縮のための嵌め合い構造は、横板部材２１がＬ形部材４内に嵌まり込む構成としたが、Ｌ形部材が横板部材２１内に嵌まり込む構成に変更してもよい。また、横板部材２１を分割し、その分割された横板部材を相互に摺動自在に構成してもよい。また、伸縮構造を横枠板部２について実施した場合で説明したが、縦枠板部３に適用してもよい。また、係止手段としての弾性体は、板バネ６に変えてゴム製又は樹脂製のものを利用することも可能である。更には、外枠１の構成部材である、横板部材２１、縦板部材３１、Ｌ形部材４の材質は、アルミ合金に限定されるものではない。
【００２０】
【発明の効果】
以上詳述したように、本発明によれば、コンパクト化が可能であるとともに、安定した姿勢で積み重ねることが可能なパチンコ機用の外枠を提供できる。
【図面の簡単な説明】
【図１】伸張状態の外枠を示す左斜視図である。
【図２】伸張状態の外枠を示す右斜視図である。
【図３】縮小状態の外枠を示す斜視図である。
【図４】横板部材と板バネを示す分解斜視図である。
【図５】Ｌ形部材と板バネを示す分解斜視図である。
【図６】伸縮構造部分の側断面図であり、縮小時を示す。
【図７】伸縮構造部分の断面斜視図であり、伸張時を示す。
【図８】本実施の形態に係る外枠のクロス積みを示す斜視図である。
【図９】一般的な外枠のクロス積みを示す斜視図である。
【図１０】伸縮式の外枠及び外枠に開閉可能に取り付けられる前枠を示す斜視図である。
【符号の説明】
１     外枠
２     横枠板部
３     縦枠板部
４     Ｌ形部材
６     板バネ
２１   横板部材
【図１】
0004004727.tif 000002
【図２】
0004004727.tif 000003
【図３】
0004004727.tif 000004
【図４】
0004004727.tif 000005
【図５】
0004004727.tif 000006
【図６】
0004004727.tif 000007
【図７】
0004004727.tif 000008
【図８】
0004004727.tif 000009
【図９】
0004004727.tif 000010
【図１０】
0004004727.tif 000011